Podtech/llm-jp-corpus-v4-ja_patent huggingface dataset:
(57)【要約】【課題】本発明は、老朽化した防火水槽の壁面が損傷しても内部の水が確保できる手段を提案するものである。【解決手段】本発明は、老朽化した防火水槽内にブロックを配列して貯留空間を設け、貯留空間から支持材を張り出し、当該支持材を介して貯留空間を包むように遮水シートを吊り下げ、防火水槽の壁面側に遮水シート保護材を吊り下げることによって防火水槽の破損時にも貯留空間内の水を保持可能とした漏水防止を施した老朽化した防火水槽である。防火水槽の壁面が損傷し漏水する事態に立ち至った場合でも貯留空間ないに貯蔵された水を確保できるよう、貯留空間を覆う遮水シートと防火水槽の壁面の間に遮水シート保護材を設置した。【選択図】図1
2010179942.tif 000002
【特許請求の範囲】
【請求項１】
老朽化した防火水槽内にブロックを配列して貯留空間を設け、貯留空間から支持材を張り出し、当該支持材を介して貯留空間を包むように遮水シートを吊り下げ、防火水槽の壁面側に遮水シート保護材を吊り下げることによって防火水槽の破損時にも貯留空間内の水を保持可能とした漏水防止を施した老朽化した防火水槽。
【発明の詳細な説明】
【技術分野】
【０００１】
本発明は、漏水防止手段を老朽化した防火水槽に付与して再生利用する技術に属する。
【背景技術】
【０００２】
コンクリート製の防火水槽は４０ｍ３、１００ｍ３など規格化され多数設置されている。設置年度が古く多くの既存の防火水槽は老朽化し、漏れなどの不都合が生じている。特開平9-217394には既存の防火水槽内をシートで内張りし単位部材を充填した再生方法が示されている。特開2002-120895にはプラスチック製シートからなる袋状ガードを壁面に装着する方法が示されている。
上記方法は防火水槽の壁面からの漏れを防止する手段である。
防火水槽の壁面が損傷し、漏水があっても必要量の水が確保する方法が求められている。
【０００３】
【特許文献１】特開平9-217394
【特許文献２】特開2002-120895
【発明の概要】
【発明が解決しようとする課題】
【０００４】
本発明は、老朽化した防火水槽の壁面が損傷しても内部の水が確保できる手段を提案するものである。
【課題を解決するための手段】
【０００５】
本発明は、老朽化した防火水槽内にブロックを配列して貯留空間を設け、貯留空間から支持材を張り出し、当該支持材を介して貯留空間を包むように遮水シートを吊り下げ、防火水槽の壁面側に遮水シート保護材を吊り下げることによって防火水槽の破損時にも貯留空間内の水を保持可能とした漏水防止を施した老朽化した防火水槽である。防火水槽の壁面が損傷し漏水する事態に立ち至った場合でも貯留空間内に貯蔵された水を確保できるよう、貯留空間を覆う遮水シートと防火水槽の壁面の間に遮水シート保護材を設置した。
【発明の効果】
【０００６】
本発明は、防火水槽内の壁面が破損した場合でも、貯留空間を覆う遮水シートは遮水シート保護材により壁面から隔離されるためその影響を受けない。そのため壁面の破損による漏水があっても、貯留空間内の水は維持される。
【図面の簡単な説明】
【０００７】
【図１】は、本発明の漏水防止を施した老朽化した防火水槽の概念図である。
【図２】は、貯留空間を形成するブロックの例を示す。
【発明を実施するための形態】
【０００８】
以下本発明を図によって、より詳細に説明する。
図１は、本発明に係る漏水防止を施した老朽化した防火水槽の平断面（図１ａ）、及び側断面（図１ｂ）を示す概念図である。
図に示すように、防火水槽内にブロックを充填配置した貯留空間が設けられ、その底面及び側面が遮水性シートに依って防火水槽の底面及び壁面から隔離されている。
【０００９】
防火水槽内で貯留空間を隔離するための遮水シートは貯留空間に密着する必要はなく、遮水シート保護材に近接するように配設される。防火水槽が漏水し、貯留空間外の水がなくなった場合、貯留空間内の水圧によって遮水シートが膨張するので遮水シート保護材にてその膨張を抑えるためである。
また遮水シート保護材は、防火水槽の壁面が地震などで破損した場合、その破片により遮水シートの破損を防止するだけの強度が要求される。
【００１０】
貯留空間を形成するためのブロックは、雨水等の流出抑制に使用される貯留浸透槽を形成するための図３に示すようなブロック類が使用される。
【産業上の利用可能性】
【００１１】
老朽化した防火水槽の寿命を延長することができる。
【符号の説明】
【００１２】
１  漏水防止を施した老朽化した防火水槽
２  貯留空間
３  遮水シート
４  遮水シート保護材
５  ブロック
【図１】
2010179942.tif 000003
【図２】
2010179942.tif 000004
(57)【要約】【課題】  文字列に対して傾きの少ない正立した印影を容易に押印できる円形印鑑および楕円形印鑑を提供する．【解決手段】  印体を直方体にして，その一端に円形または楕円形の印面を設けた印鑑を特徴とする．【選択図】図１
2010179645.tif 000002
【特許請求の範囲】
【請求項１】
印体（２）を直方体にして，その一端に円形または楕円形の印面（１）を設けた印鑑
【発明の詳細な説明】
【技術分野】
【０００１】この発明は，直方体の印体の一端に円形または楕円形の印面を設けた印鑑に関するものである．
【背景技術】
【０００２】従来，円形または楕円形の印面はそれぞれ円柱，楕円柱の印体の断面であった．
【発明の開示】
【発明が解決しようとする課題】
【０００３】これは，次のような欠点があった．
（イ）印体の先端が曲線であるため書類の文字列に対して正立した印影を押印するためには高い注意力を必要とした．
（ロ）印体が円柱であるため転がりやすく，卓上などから落下しやすい形状であった．
この発明は，以上のような欠点をなくすためになされたものである．
【課題を解決するための手段】
【０００４】直方体の印体（２）の一端に印面（１）を設ける．
本発明は，以上の構成よりなる印鑑である．
【発明の効果】
【０００５】印体が直方体であることにより，縦書き，横書き文字列のどちらにも平行または直角のイメージがつけ易く，容易に傾きの少ない印影が押印できる．【０００６】印体の形状が直方体であるため，卓上などからの転がり落下の可能性も少なくなる．
【発明を実施するための形態】
【０００７】印体の形状を直方体にし，その一端に円形または楕円形の印面を彫刻する．
本発明は，以上のような構造である．
【図面の簡単な説明】
【０００８】
【図１】本発明の斜視図である．
【図２】本発明の正面図である．
【符号の説明】
【０００９】１    印面
２    印体
【図１】
2010179645.tif 000003
【図２】
2010179645.tif 000004
(57)【要約】      （修正有）【課題】船舶の機関室等の高熱環境下の構造材として使用される耐熱構造ＦＲＰパネルの強度劣化を、金属板を使用することなく防止できる、比較的安価防止なコストで製作可能なＦＲＰパネルを提供する。【解決手段】耐熱構造ＦＲＰパネル１００は、コア材３をＦＲＰ板１，２でサンドイッチ状態に構成したＦＲＰサンドイッチパネルであって、コア材３に形成された冷却水路４が、熱源側ＦＲＰ板１に接している。この冷却水路４を冷却水が流れることにより、ＦＲＰサンドイッチパネルが高熱化されることがなく、強度の劣化を生じない。【選択図】図１
2010179669.tif 000002
【特許請求の範囲】
【請求項１】
コア材と、該コア材をサンドイッチ状態に挟んだ一対のＦＲＰ板と、を有し、
前記コア材に前記一対のＦＲＰ板のうち熱源側に配置されるＦＲＰ板に接する冷却水路が形成されていることを特徴とする耐熱構造ＦＲＰサンドイッチパネル。
【請求項２】
前記冷却水路の断面形状は断面矩形の溝状であることを特徴とする請求項１に記載の耐熱構造ＦＲＰサンドイッチパネル。
【請求項３】
前記冷却水路の断面形状は管状であることを特徴とする請求項１に記載の耐熱構造ＦＲＰサンドイッチパネル。
【発明の詳細な説明】
【技術分野】
【０００１】
本発明は耐熱構造ＦＲＰサンドイッチパネル、特に、ＦＲＰ船の構造材として使用される耐熱構造ＦＲＰ（繊維強化プラスチック）サンドイッチパネルに関する。
【背景技術】
【０００２】
ＦＲＰで船体を建造する場合、機関室も当然、耐熱性を有するＦＲＰサンドイッチパネルが構造材もしくは当該機関室の間仕切り材として使用されるが、船舶運航時の機関室内は５０℃以上の高温状態下になることがある。当該熱環境下では、ＦＲＰは基材がプラスチックであることから、熱劣化を起こし強度的に弱くなり船舶全体の強度を低下させる問題がある。
その対策としてＦＲＰサンドイッチパネル材の熱源側のＦＲＰ板表面にロックウール等の防火材をボルト等の係止金具で添設し、またはＦＲＰ板表面に耐火塗料を塗布しているが、重量の増大、あるいは手間がかかりコスト高となる問題がある。
そのため、このような熱環境化で使用される複合断熱パネルの一例として、建築用の屋根および壁材を対象とし、化学物質のコア材を表裏金属板でサンドイッチし、パネルの熱源側を極薄の発泡性防火塗料組成物を１３０μｍ以下に塗布して断熱対策とした発明が開示されている（例えば、特許文献１参照）。
【先行技術文献】
【特許文献】
【０００３】
【特許文献１】特開２００７−１１３３８６号公報（第６−７頁、図１）
【発明の概要】
【発明が解決しようとする課題】
【０００４】
しかしながら、特許文献１に開示された複合断熱パネルでは金属板を使用しているため、磁気機雷等に留意しなければならない船体においては用途が限定されることがある。
本発明は外部環境が高温にさらされても強度が劣化せず、比較的安価なコストで製作可能なＦＲＰパネルを提供するものである。  
【課題を解決するための手段】
【０００５】
（１）本発明に係る耐熱構造ＦＲＰサンドイッチパネルは、コア材と、該コア材をサンドイッチ状態に挟む一対のＦＲＰ板と、を有し、
前記コア材に前記一対のＦＲＰ板のうち熱源側に配置されるＦＲＰ板に接する冷却水路が形成されていることを特徴とする。
（２）また、前記冷却水路の断面形状は断面矩形の溝状であることを特徴とする。
（３）また、前記冷却水路の断面形状は管状であることを特徴とする。
【発明の効果】
【０００６】
以上の構成により、ＦＲＰ船の機関室内が高温下にさらされても、ＦＲＰサンドイッチパネルのコア材内部に設けた冷却水路を冷却水が流れることにより、コア材と接するＦＲＰ板の冷却が行なわれ、ＦＲＰサンドイッチパネルが高熱化されることがなく強度の劣化を生じることがない。
【図面の簡単な説明】
【０００７】
【図１】本発明の実施の形態１に係る耐熱構造ＦＲＰサンドイッチパネルの部分断面斜視図。
【図２】本発明の実施の形態２に係る耐熱構造ＦＲＰサンドイッチパネルの部分断面斜視図。
【図３】本発明の実施の形態１、２を実施するための全体構成図。
【発明を実施するための形態】
【０００８】
［実施の形態１］
図１〜図３は本発明の実施の形態１に係る耐熱構造ＦＲＰサンドイッチパネルを説明するものであって、図１および図２は模式的に示す部分断面斜視図、図３は全体構成図である。
図１において、１は熱源側に設けたＦＲＰ板、２はそれとは反対側に設けたＦＲＰ板であり、コア材３をＦＲＰ板１、２によりサンドイッチ状態で挟んで添設する。コア材３と熱源側ＦＲＰ板１とが形成する側部には複数の断面矩形の溝状冷却水路４が設けられており、内部を冷却水が流れる構造となっている。
すなわち、耐熱構造ＦＲＰサンドイッチパネル１００は、コア材３を一対のＦＲＰ板１、２によってサンドイッチしたものであって、熱源側ＦＲＰ板１と接する冷却水路４を有している。なお、冷却水路の断面形状は溝型もしくは管状であることを特徴とするものである。
【０００９】
図２に示す耐熱構造ＦＲＰサンドイッチパネル２００は、耐熱構造ＦＲＰサンドイッチパネル１００（図１）における断面矩形の溝状冷却水路４を断面円形状の管状冷却水路５に変更したものであって、これを除く構成は耐熱構造ＦＲＰサンドイッチパネル１００に同じである。
【００１０】
図３において、耐熱構造ＦＲＰサンドイッチパネル１００の溝状冷却水路４は略鉛直に配置され、上端が略水平に配置された上側のヘッダ管６に連結され、下端が略水平に配置された下側のヘッダ管７に連結されている。そして、下側のヘッダ管７には、ポンプ８によって、給水タンク９に貯溜された冷却用の水が供給される。また、上側のヘッダ管６には図示しない排水管が接続されている。
そして、ＦＲＰ板１に設けられた温度センサー１０の検知温度が、たとえば、５０℃以上になると、制御装置１１はポンプ８および弁１２に制御信号を送り、ポンプ８を起動し、弁１２を開く。
【００１１】
なお、排水管（図示しない）を給水タンク９に接続して、冷却水が循環するようにしてもよい。また、複数枚の耐熱構造ＦＲＰサンドイッチパネル１００を並べて配置する場合には、複数のヘッダ管６同士、および複数のヘッダ管７同士を連結する。
【産業上の利用可能性】
【００１２】
本発明によれば、耐熱性が向上するから、ＦＲＰ化を進めるための船舶構造材や建築部材として、各種耐熱構造ＦＲＰサンドイッチパネルとして広く利用することができる。
【符号の説明】
【００１３】
１  ＦＲＰ板（熱源側）
２  ＦＲＰ板
３  コア材
４  溝状冷却水路
５  管状冷却水路
６  ヘッダ管
７  ヘッダ管
８  ポンプ
９  給水タンク
１０  温度センサー
１１  制御装置
１２  弁
【図１】
2010179669.tif 000003
【図２】
2010179669.tif 000004
【図３】
2010179669.tif 000005
(57)【要約】      （修正有）【課題】限外ろ過膜を廃油に使用した場合、カーボンその他不純物を除去し再生油が精製されるが、粘度等の問題により限外ろ過膜が短時間で目詰りを起こし継続使用が困難であった。このような限外ろ過膜の短時間での目詰りの問題を解決し、長期に渡り限外ろ過膜を使用し、廃油より再生油を効率的に再生することができる潤滑油ろ過装置を提供する。【解決手段】空気の圧力を利用して、ろ過膜内の油を押し出し、ろ過膜外に付着した目詰まりの原因を取り除くようにした装置。【選択図】図１
2010179291.tif 000002
【特許請求の範囲】
【請求項１】
限外ろ過膜を廃油再生に継続使用するための洗浄方法及びそれを実用化するための技術
【発明の詳細な説明】
【技術分野】
【０００１】  本発明は、潤滑油のろ過技術に関する。
【背景技術】
【０００２】
【先行技術文献】
【特許文献】
【０００３】
【特許文献１】
【特許文献２】
【非特許文献】
【０００４】
【非特許文献１】
【非特許文献２】
【発明の概要】
【発明が解決しようとする課題】
【０００５】  限外ろ過膜を廃油に使用した場合、カーボンその他不純物を除去し再生油が精製されるが、粘度等の問題により限外ろ過膜が短時間で目詰りを起こし継続使用が困難であった。
本発明は、従来有していた限外ろ過膜の短時間での目詰りの問題を解決し、長期に渡り限外ろ過膜を使用し、廃油より再生油を効率的に再生することを目的とするものである。
【課題を解決するための手段】
【０００６】  本発明は上記目的を達成するために、空気の圧力を利用して、ろ過膜内の油を押し出し、ろ過膜外に付着した目詰りの原因を取り除く。
【発明の効果】
【０００７】  上述したように、本発明のろ過膜の洗浄装置は限外ろ過膜に付着した目詰りの原因を防ぐと共に、長期に渡り目詰りを起こす事のない装置になる。
【図面の簡単な説明】
【０００８】
【図１】
【発明を実施するための形態】
【０００９】  以下、本説明の実施の形態を図１に基いて説明する。
図１において、▲１▼は空気を送り込む入り口で、▲２▼で空気の圧力を調整し、▲３▼と▲４▼は空気と油の出入り口である。▲５▼は油を送る入口で▲３▼と▲４▼によってコントロールされる。限外ろ過膜フィルターの洗浄方法は、▲１▼から空気が送り込まれ、空気の圧力によりフィルターに付着した目詰りの原因物質を除去する。この方式によりフィルター内の目詰りを防止する。
【実施例】
【００１０】  上述の方式を利用した機器は茨城県つくば市若栗２３０４−１１０所在、向現株式会社において廃潤滑油再生機（商品名クランＦ２）として商品化され、廃エンジンオイルより再生油が再生率８０％の割合で再生されている。
【産業上の利用可能性】
【００１１】  現在、世界中で膨大な量の廃油が廃棄または焼却処分されているが、これらの再生利用により膨大な石油資源と二酸化炭素排気量の削減が可能となり、産業上の利用可能性は極めて高いといえる。
【符号の説明】
【００１２】
【受託番号】
【００１３】
【配列表フリーテキスト】
【図１】
2010179291.tif 000003
【手続補正書】
【提出日】平成21年4月14日(2009.4.14)
【手続補正１】
【補正対象書類名】明細書
【補正対象項目名】０００８
【補正方法】変更
【補正の内容】
【０００８】
【図１】  発明を実施するための機械全体図である。
【図２】  発明を実施するためのフィルター内断面図であり、フィルター外殻と限外ろ過膜の配置を示している。
【図３】  ろ過膜内外のろ過通常運転時の油類の流れを示している。
【図４】  ろ過膜内外のろ過膜逆洗浄時の空気及び油類の流れを示し、どの様にろ過膜外部の不純物を除去するかを示している。
【手続補正２】
【補正対象書類名】図面
【補正対象項目名】全図
【補正方法】変更
【補正の内容】
【図１】
2010179291.tif 000004
【図２】
2010179291.tif 000005
【図３】
2010179291.tif 000006
【図４】
2010179291.tif 000007
(57)【要約】      （修正有）【課題】地球温暖化の原因の一つであり、温室効果ガスの中で最も影響の大きい二酸化炭素の排出を抑制する方法を提供する。【解決手段】燃焼により生成する温室効果ガスである二酸化炭素を含むガス２中に二酸化炭素と反応する酸化カルシウム粉体１を混入させ、高電圧化学反応機３を通過させることで二酸化炭素と該酸化カルシウムとを化学反応させ、生成した炭酸カルシウム粉体４を同じ高電圧の電場で集塵し、二酸化炭素処理後ガス５を排出する。【選択図】図１
2010179250.tif 000002
【特許請求の範囲】
【請求項１】
二酸化炭素を含むガス中に二酸化炭素と反応する粉体を混入させ高電圧の電場を通過させることで二酸化炭素と前記粉体を化学変化させる方法
【請求項２】
請求項１で化学反応した粉体を同じ高電圧の電場で集塵する方法
【化１】
2010179250.tif 000003
【発明の詳細な説明】
【先行技術文献】
【非特許文献】
【０００１】
【非特許文献１】非特許文献ｎ
【図面の簡単な説明】
【０００２】
【図１】二酸化炭素除去の実施方法を示した説明図である。
【符号の説明】
【０００３】
１    二酸化炭素と反応する粉体
２    二酸化炭素を含むガス
３    高電圧化学反応機および集塵機
４    化学反応した粉体
５    二酸化炭素処理後ガス
【図１】
2010179250.tif 000004
(57)【要約】【課題】今までの供給装置では、主原料であるプラスチックペレットと着色のためのマスターバッチペレットを混合して供給する方法として、着色のためのマスターバッチペレットを、計量スクリューを回転させて計量する方法と、着色のためのマスターバッチペレットを、計量カップに供給して計量する方法であったが、いずれの方法もマスターバッチペレットの計量精度が悪く着色濃度不良が発生していた。 【解決手段】マスターバッチ ペレット押し出し装置より出た線状のマスターバッチをペレットにカットせず、マスターバッチ巻き取りロールに巻き取り、使用時にマスターバッチ巻き取りロールからマスターバッチ引き出し治具で引き出しマスターバッチ切断装置でカットして、何粒単位で供給すると設定すれば、確実にペレットを粒単位で供給する事が出来、計量精度が向上して着色濃度不良が発生しない。 【選択図】図１
2010179545.tif 000002
【特許請求の範囲】
【請求項１】
マスターバッチ混合供給装置において線状に巻き取られたマスターバッチを巻き取るロールとマスターバッチを巻き取りロールから引き出す為の引き出し治具と引き出し治具の前方に線状のマスターバッチの切断装置を備え更に切断されたマスターバッチを攪拌機に誘導するための誘導具を供えたことを特徴とするマスターバッチ混合供給装置
【発明の詳細な説明】
【技術分野】
【０００１】
本考案は主原料であるプラスチックペレットと着色のためのマスターバッチを混合する場合マスターバッチを所定の長さにカットして供給する事により着色の濃度の一定化をする装置である
【背景技術】
【０００２】
従来のマスターバッチ混合機はプラスチックペレット(主原料)とペレットにした着色のためのマスターバッチをスクリューで一定の回転で送り出し供給する方法とカップに供給して重量測定して供給する方法で主原料とマスターバッチを混ぜて射出成形していましたが色ムラが多発していた。このスクリューの送り出し方法による場合はペレット一粒を確実に送り出す事は不可能であった。又重量測定では射出成形機の射出シリンダーの材料投入口上に設置する為、成形機の振動などでペレット一粒を重量測定して供給するのが困難でペレットの粒数にバラツキがあり着色ムラが出ていた。それを今回は着色ペレットをロールに巻き取り一粒ずつカットして供給するので色ムラが無くなった
【特許文献１】特許公開２０００−３４４８９７、特許公開２０００−２１８６１６
【発明の開示】
【発明が解決しようとする課題】
【０００３】
本発明ではプラスチック成形の時にプラスチックペレットである主原料ナチュラル材を成形する時に着色のためのマスターバッチ(着色剤)を混合して成形する。現在の方法はプラスチックペレットに対しペレットにした着色剤を混合する時の方法として、マスターバッチを予備ホッパーからスクリューを回して一定量を供給する方法と、カップに供給して重量を測定して供給する方法の２種類ある。どちらの方法も着色の濃度が変わり着色のバラつきがあり不良が多発している。そこで、発明したマスターバッチ混合供給装置は押し出し機で着色した線状のマスターバッチをペレットにカットせずロールに巻き取り使用時にロールより送り出し指定の長さにカットしペレットとして供給混合するので色ムラが発生しにくく着色濃度不良を少なくすることができる
【課題を解決するための手段】
【０００４】
本考案は主原料であるプラスチックペレットと着色のためのマスターバッチを混合する場合はマスターバッチを所定の長さにカットして供給する事により着色の濃度の一定化をする装置である。本発明は着色ペレットの形状を、着色ペレットを線状に押し出したものを通常はカットしてペレットにするのをカットせずにロールに線状で巻き取りそれをマスターバッチ混合機にセットして使用時に引き出して必要なペレット数をデジタルカウンターに設定してペレット数を計数して供給する様にする
【０００５】
本発明の説明をすると、プラスチックペレットであるナチュラル原料を入れた原料タンク１、原料送り出しスクリューモーター２、送り出しスクリュー３、で原料を計量タンク５、に送り出す。そして送り出し歯車で少しずつ送り出し攪拌機羽根１２、へ投入する。又同時にマスターバッチ巻取りロール４、をマスターバッチ引き出し治具にマスターバッチ（線状）を引き出し治具７、を通してマスターバッチ切断装置１１、へ投入する。あらかじめ数量設定した数だけカッターを回して線状ペレット１２、をカットする  カットしたペレットは誘導具１８、を通って攪拌機羽根１２、へ投入。その時攪拌モーター６、が攪拌機羽根を回してナチュラル原料とマスターバッチのペレットを攪拌しながら均一に射出シリンダー内に投入され、射出シリンダー１７、内のスクリューで更に均一に混合され色ムラの無い成形品を作り出す事が出来る
【発明の効果】
【０００６】
上述したように本発明のマスターバッチ混合供給装置は従来の混合では解決出来なかった混合比のバラツキをペレット一粒ずつ供給出来るので着色のバラツキを無くす事が出来る。
【図面の簡単な説明】
【０００７】
【図１】本発明のマスターバッチ混合供給装置図の正面から見た概念図を示す。
【符号の説明】
【０００８】
１    原料タンク
２    原料送り出しスクリューモーター
３    送り出しスクリュー
４    マスターバッチ巻取りロール
５    計量タンク
６    攪拌モーター
７    マスターバッチ引き出し治具
８    マスターバッチ（線状）
９    乾燥ドライヤー
１０  送り出し歯車
１１  マスターバッチ切断装置
１２  攪拌機羽根
１３  プラスチックペレット
１４  マスターバッチ（ペレット）
１５  プラスチックペレット
１６  マスターバッチ（ペレット）
１７  成形機射出シリンダー
１８  誘導具
【図１】
2010179545.tif 000003
(57)【要約】      （修正有）【課題】水筒に直接お茶葉を入れて煎じても、飲み口からお茶葉が出ること無く、飲むことを可能にする。【解決手段】水筒本体の口金と飲み口の間に、ネット部と共に、ネット部の外周に設けられ、同心円状の印を設け、口金の大きさに容易に合わすことが出来るパッキン部を設けた茶漉しを取り付け、飲み口からお茶葉が出ること無くした。【選択図】図３
2010179082.tif 000002
【特許請求の範囲】
【請求項１】
茶漉しネットの外周にパッキンを有することを特徴とする水筒の茶漉し。
【請求項２】
請求項１の茶漉しパッキン部に同心円状の印を設けたことを特徴とする水筒の茶漉し。
【発明の詳細な説明】
【技術分野】
【０００１】本発明は広く普及している保温型水筒の茶漉しに関するものである。
【背景技術】
【０００２】上記、保温型水筒は茶漉しが設けられていない為、やかん及び急須等でお茶を煎じた後、そのお茶を水筒に入れる必要があった。また茶パックを直接その中にいれてもお茶を注ぐ時に茶パックが口を塞ぎうまく使用することが出来なかった。
【発明の開示】
【発明が解決しようとする課題】
【０００３】本発明は上記問題点を解決すべく、水筒に直接、お茶葉を入れても注ぐ時にお茶と一緒にお茶葉が出ることなく、お茶だけ出ることを可能にしようとするものである。
【課題を解決するための手段】
【０００４】本発明は上記問題点を解決する為に水筒と口金の間に、ネットを設けた茶漉しに、パッキン機能を持たせることにより解決しようとするものである。【０００５】また水筒の口金は大きさが多様に異なる場合が多いので茶漉しネットの周囲に同心円状の印しを設けることにより水筒の口の大きさに合わせて、鋏で任意の大きさに切断出きることを可能にした為、色々な大きさの水筒に対応できる。
【発明の効果】
【０００６】上記発明を実施すると水筒に直接、お茶葉を入れて、お茶を煎じることが出来るようになる。
【発明を実施するための最良の形態】
【０００７】以下本発明の実施の形態を図面を参照にしながら説明するが、本発明が図示のものに限られる訳ではないことは勿論である。
【実施例】
【０００８】図１は本発明を実施した形態の茶漉しの全体斜視図で、１は茶漉し本体、２はネット部、３は茶漉しパッキン部、４は同心円状の印しである。【０００９】図２は茶漉し本体１の茶漉しパッキン部３を水筒の口金の大きさに合わせて鋏５で円形にカットしている状態の斜視図である。パッキン部の印し４は同心円状で複数設けられている為、容易に口金の大きさに合わせて、円形に切り取ることが出来る。
このことにより殆んどの保温型水筒に対応することが出来る。【００１０】本実施例における印しは円状に鋏で切る為の目印である為、切れ込み、凸形状、色付け等、何で目印を付けても良いことは言うまでも無い。【００１１】図３は本発明の茶漉しを水筒に取り付けた状態の実施例を示す斜視図である。
６は水筒本体、７は飲み口、８は水筒のキャップ、９は水筒の口金である。【００１２】水筒本体６の口金９と飲み口７の間に茶漉し本体１を設けることにより、直接水筒本体６にお茶葉を投入してお茶を煎じた後、飲み口７から飲んでも２のネット部によってお茶葉が出ることは無く、快適にお茶を飲むことが出来る。【００１３】また茶漉しの周囲にはパッキンを設けている為、ここからお茶が漏れることもない。
【産業上の利用可能性】
【００１３】上述のように直接、水筒にお茶葉を投入して飲むことが出来ることにより、ペットボトルの普及によってお茶葉の消費が減る中で、その消費を増やすことに貢献する。
【図面の簡単な説明】
【００１４】
【図１】は本発明を実施した形態の茶漉しの全体斜視図。
【図２】は茶漉し本体のパッキン部を任意の大きさに鋏でカットしている状態の斜視図。
【図３】は本発明の茶漉しを水筒に取り付けた状態の実施例を示す斜視図。
【符号の説明】
【００１４】１は茶漉し本体                ２はネット部
３は茶漉しパッキン部          ４は同心円状の印し
５は鋏                        ６は水筒本体
７は飲み口                    ８は水筒のキャップ
９は水筒の口金
【図１】
2010179082.tif 000003
【図２】
2010179082.tif 000004
【図３】
2010179082.tif 000005
(57)【要約】【課題】ゴルフスイングは両腕と連動するゴルフクラブの振り子運動であるが、振り子運動の原理を応用した一定の正しいスイングを反復練習できる練習器具の提供を課題とする。【解決手段】胴衣に有する紐貫通部を貫通した紐が、ゴルフクラブのグリップエンド部の両端に装着され振り子運動の原理を応用した一定の正しいスイングを反復練習できることを特徴とするゴルフスイング練習器具である。【選択図】図２
2010179081.tif 000002
【特許請求の範囲】
【請求項１】
胴衣に有する貫通部材を貫通した紐が、ゴルフクラブのグリップエンド部の両端に装着されたことを特徴とするゴルフスイング練習器具である。
【発明の詳細な説明】
【技術分野】
【０００１】  この発明は、正しいゴルフスイングを修得するための練習器具に関する。
【発明の概要】
【発明が解決しようとする課題】
【０００２】ゴルフスイングは両腕と連動するゴルフクラブの振り子運動であるが、振り子運動の原理を応用した一定の正しいスイングを反復練習できる練習器具の提供を課題とする。
【課題を解決するための手段】
【０００３】胴衣に有する貫通部材を貫通した紐が、ゴルフクラブのグリップエンド部の両端に装着されたことを特徴とするゴルフスイング練習器具である。
【発明の効果】
【０００４】胴衣に有する貫通部材を貫通した紐が、ゴルフクラブのグリップ部の両端に装着されたされたことを特徴とする振り子運動原理を応用したゴルフスイング練習器具をプレイヤーに装着しアドレスを構える。アドレス時にプレイヤーの両腕によって支持された該紐は、グリップの両端と胴衣に有する貫通部材を貫通し三角形を形状する。前記振り子運動の支点を示すものが胴衣に有する貫通部材であり、紐が該紐、重りがゴルフクラブである。バックスイング、トップ、インパクト、フォロースイングのいずれの状態においてもプレイヤーのアドレス時に設定された該紐の長さは一定であるが、各スイングの動作中に該紐は貫通部材を貫通するので三角形の形状は随時変化する。バックスイング、トップ、フォロースイングの状態では腰や肩の捻転と共に上半身において左右の肘が曲がることが起因する。右打ちのプレイヤーであればバックスイング、トップで右肘は曲がりグリップエンドはプレイヤーの身体から離れ、ゴルフクラブヘッド側は身体に接近する。この時胴衣に有する貫通部材を貫通した該紐はグリップエンド側に引っ張られ延長し、ゴルフクラブヘッド側に接続された該紐は縮小する。ゴルフクラブヘッド側に接続された胴衣に有する貫通部材までの該紐の長さは、常にスイング中ではゴルフクラブヘッドと身体までの距離に比例し、グリップエンド側に接続された、胴衣に有する貫通部材までの該紐の長さは常にスイング中のゴルフクラブヘッドと身体までの距離に反比例する。プレイヤーはゴルフクラブを押し出す感覚でスイングすれば、肘の曲がり加減で該紐はスイング軌道を確保することが可能となる。ダウンスイングではクラブヘッドの遠心力が働き、バックスイングとは逆のスイング軌道を該紐によって容易に確保する。さらに振り子の原理でアドレスしたインパクト（打球）のポイントに該紐が誘導することができる。フォロースイングでは左肘を曲げればバックスイングと同様に該紐が伸縮しスイングフォームを確保する。本発明は上述のように振り子運動原理を応用した構成であるから容易に理想のスイングを反復練習を可能にするなど実用性を有し、且つ、極めて簡単な構成故にそれだけコスト安な器具となり、練習者であるプレイヤーにすぐれた効果を発揮するゴルフスイング練習器具となる。
【図面の簡単な説明】
【０００５】
【図１】この発明の本実施形態に係るゴルフスイング練習器具の概略を示す斜視図である。本図で示すとおり、本ゴルフスイング練習器具は、ゴルフクラブ１と、グリップ２の両端に配置される紐３と、胴衣５に配置される貫通部材４、該貫通部材４を貫通した紐３を有することを特徴とする。
【図２】本発明に係るゴルフスイング練習機の好ましい実施形態におけるバックスイングを開始した状態を示す図である。
【図３】上記実施形態におけるバックスイングの動作の状態を示す図である。
【図４】上記実施形態におけるバックスイングのトップの状態を示す図である。
【図５】上記実施形態におけるインパクト、フォロースイングの状態を示す図である。
【図６】上記実施形態におけるフォロースイングの状態を示す図である。
【発明を実施するための形態】
【０００６】図１に示す胴衣に有する貫通部材を貫通した紐が、ゴルフクラブのグリップ部の両端に装着されたされたことを特徴とする振り子運動原理を応用したゴルフスイング練習器具をプレイヤーに装着する。図２に示すようにアドレス時にプレイヤーの両腕によって支持された該紐は、グリップの両端と胴衣に有する貫通部材を貫通し三角形を形状する。前記振り子運動の支点を示すものが胴衣に有する貫通部材であり、紐が該紐、重りがゴルフクラブである。図２ないし図３に示すバックスイング、図４に示すトップ、図５ないし図６に示すインパクト、フォロースイングのいずれの状態においてもプレイヤーのアドレス時に設定された該紐の長さは一定であるが、各スイングの動作中に該紐は貫通部材を貫通するので三角形の形状は随時変化する。図３に示すバックスイング、図４に示すトップ、図６に示すフォロースイングの状態では腰や肩の捻転と共に上半身において左右の肘が曲がることが起因する。図３ないし図４に示すように右打ちのプレイヤーであればバックスイング、トップで右肘は曲がりグリップエンドはプレイヤーの身体から離れ、ゴルフクラブヘッド側は身体に接近する。この時胴衣に有する貫通部材を貫通した該紐はグリップエンド側に引っ張られ延長し、ゴルフクラブヘッド側に接続された該紐は縮小する。ゴルフクラブヘッド側に接続された胴衣に有する貫通部材までの該紐の長さは、常にスイング中ではゴルフクラブヘッドと身体までの距離に比例し、グリップエンド側に接続された、胴衣に有する貫通部材までの該紐の長さは常にスイング中のゴルフクラブヘッドと身体までの距離に反比例する。プレイヤーはゴルフクラブを押し出す感覚でスイングすれば、肘の曲がり加減で該紐はスイング軌道を確保することが可能となる。図５に示すダウンスイングではクラブヘッドの遠心力が働き、バックスイングとは逆のスイング軌道を該紐によって容易に確保する。さらに振り子の原理でアドレスしたインパクト（打球）のポイントに該紐が誘導することができる。図６に示すフォロースイングでは左肘を曲げればバックスイングと同様に該紐が伸縮しスイングフォームを確保する。
【符号の説明】
【００７】１  ゴルフクラブ            ２  グリップ
３  紐                      ４  貫通部材
５  胴衣
【図１】
2010179081.tif 000003
【図２】
2010179081.tif 000004
【図３】
2010179081.tif 000005
【図４】
2010179081.tif 000006
【図５】
2010179081.tif 000007
【図６】
2010179081.tif 000008
(57)【要約】【課題】多くなったオーディオやテレビのリモコンが散らかるのを防ぐためにカーテンにリモコン等を収納できる小物入れを提共する【解決手段】カーテン▲３▼に本体▲１▼をアップリケ▲２▼で取り付け小物入れとし、リモコン等を収納する【選択図】図１
2010179083.tif 000002
【特許請求の範囲】
【請求項１】
カーテンに小物等を収納できる物とする
【発明の詳細な説明】
【技術分野】
【０００１】本発明はオーディオやテレビ等の多くなったリモコンの紛失等を防ぐためにカーテンに小物入れを設け手軽に収納できるようにしたものである
【背景技術】
【０００２】従来は、リモコン等を収納する小物入れの付いたカーテンは、なかった。
【発明の開示】
【発明が解決しようとする課題】
【０００３】多くなったオーディオやテレビのリモコンをテーブル等の上に置いておくと場所を取り、床に落ちたり最悪の場合紛失するおそれもあるという難点があった。本発明は、この課題を解消するためになされたものである
【課題を解決するための手段】
【０００４】カーテン▲３▼にリモコン等を収納出来る本体▲１▼を設けることにより場所を取らず部屋をかたずけられるようにした。
【発明の効果】
【０００５】カーテンの小物入れにリモコン等を収納しておく事で部屋をスッキリさせる
以下、本発明の実施の形態について設明する
（イ）本体のアップリケ部分をカーテンに取り付け小物入れを作る
【実施例１】
【０００６】
【図面の簡単な説明】
【０００７】
【図１】本発明の取り付け使用時の図である
【図２】本発明の組立前の図である
【符号の説明】
【０００８】▲１▼  本体
▲２▼  アップリケ部
▲３▼  カーテン
▲４▼  内側折り線
【図１】
2010179083.tif 000003
【図２】
2010179083.tif 000004
(57)【要約】【課題】  両手に荷物を持っているときなど、データ読取装置のある改札を通過するときに困ることが多いので、カード式乗車券を入れたかばんごとデータ読取装置でデータを読み取り、改札を通過することができるカード式乗車券入れ付きかばんを提供する。【解決手段】  かばん内側の底部（１）又は側部（２）の、読取装置にカード式乗車券を近づけやすいところに、カード式乗車券入れ（３）を設ける。そこに、カード式乗車券を入れ、かばんごと、カード式乗車券入れ（３）のすぐ外側を読取装置に近づけてデータを読取らせて、改札を通過することを特徴とする。【選択図】図１
2010179069.tif 000002
【特許請求の範囲】
【請求項１】
かばん内側の底部（１）又は側部（２）にカード式乗車券入れ（３）を設け、カード式乗車券を入れたかばんごとカード読取装置でデータが読取可能な、カード式乗車券入れ付きかばん。
【発明の詳細な説明】
【技術分野】
【０００１】  この発明は、かばん内側の底部又は側部にカード式乗車券入れを設け、カード式乗車券を入れたかばんごとデータ読取装置でデータが読取可能な、カード式乗車券入れ付きかばんに関するものである。
【背景技術】
【０００２】  従来、かばんには、カード式乗車券を入れたままで、データ読取装置でデータが読取可能なような、カード式乗車券入れは設けられてなかった。
【発明の開示】
【発明が解決しようとする課題】
【０００３】  これは、次のような欠点があった。
従来、かばんを持って読取装置のある改札を通過しようとすれば、かばんとは別に、カード式乗車券を手に持って読取装置に近づける必要があった。これでは、両手に荷物を持っているときなど、改札を通過するときに困ることが多かった。本発明は、以上のような欠点をなくすためになされたものである。
【課題を解決するための手段】
【０００４】  かばん内側の底部（１）又は側部（２）の、読取装置にカード式乗車券を近づけやすいところに、カード式乗車券入れ（３）を設ける。そこに、カード式乗車券を入れ、かばんごとカード式乗車券のすぐ外側を読取装置に近づけてデータを読取らせて、改札を通過する。
【発明の効果】
【０００５】  かばんにカード式乗車券を入れたままでも、読取装置でデータを読取ることができるので、改めてカード式乗車券を手に持つ必要がないことから、快適に、かつ、滞りなく、改札を通過できる。
【発明を実施するための最良の形態】
【０００６】  以下、本発明を実施するための最良の形態について説明する。
かばん内側の底部（１）又は側部（２）に、カード式乗車券入れ（３）を設ける。カード式乗車券入れ（３）を設けるところは、読取装置でカード式乗車券のデータを読取るのに適したところとする。かばんごとカード式乗車券入れ（３）を設けた外側を読取装置に近づけ、データを読み取らせて改札を通過する。かばんの素材は、読取装置がデータの読取りに支障をきたさないような材質を用いる。
【図面の簡単な説明】
【０００７】
【図１】  本発明の斜視図である。
【符号の説明】
【０００８】１    かばん内側の底部
２    かばん内側の側部
３    カード式乗車券入れ
【図１】
2010179069.tif 000003
(57)【要約】【課題】自走型車椅子において、自走駆動力を軽減させるべく走行車輪とハンドリムの間に減速機構を設けた、減速機構付き走行車輪を提供する。【解決手段】自走型車椅子の車体側面（３）に設けられた既存の固定車軸（４）に、走行車輪（１）とハンドリム（２）を分離して、その間に平歯車を組み合わせた減速機構を構成させて一体化した、スリーブ（７）を取り付けたことを特徴とする。【選択図】図２
2010179066.tif 000002
【特許請求の範囲】
【請求項１】
乗用者が自力でハンドリムを回転させて移動走行させることができると共に、介助者が乗用者の背後よりハンドルを押して移動走行することができる自走型車椅子において、そのハンドリムと走行車輪を分離して、その間に平歯車を組み合わせて減速機構を構成し結合した、自走型車椅子の減速機構付き走行車輪。
【発明の詳細な説明】
【技術分野】
【０００１】この発明は、自走型車椅子において、ハンドリムと走行車輪を分離して、その間に平歯車を組み合わせて構成した減速機構を設けることにより、自力で移動走行する労力を軽減させることができることを目的とした、自走型車椅子用車輪に関するるのである。
【背景技術】
【０００２】従来の自走型車椅子では、走行車輪とハンドリムは一体になっていて、ハンドリムを１回転させると走行車輪も１回転する仕組みになっている。
この仕組みは、走行の時に作用する走行抵抗力がほぼ等しい割合で、走行に要する駆動力になる。これを軽減させるために、例えば特許文献１にて紹介されるように、遊星歯車を用いて減速機構を備えたものも考案されている。しかし、この遊星歯車を用いた機構ではその構造上、力の伝達系統が複雑になるとともに歯車の内部抵抗力が増し、介助者による手押し移動走行の時はその伝達系統の複雑さと歯車の内部抵抗力が逆作用して押し力が重くなる。そこで、この考案ではこれを解消するためにクラッチ機構を併設して遊星歯車による減速機構を切り放しているが、これが更にこの考案の構成を複雑にしていると共に、実施に要する費用も増大するものと考えられる。【０００３】
【特許文献】  特開２００６−２５９５１
【発明の概要】
【発明が解決しょうとする課題】
【０００４】従来の自走型車椅子を乗用者が自走させるには、それ相応の腕力が必要とされた。
しかし、腕力の衰えた高齢者や障害者にとっては辛いものがあった。とくに、上がり勾配の通路においては更に倍加されたと思われる。本発明はこれらの辛さを解消するために複雑な機構を排除し、かつ安価なものを従来の自走型車椅子の車軸を何ら改造することなく取り付けられる車輪を提供するものである。
【課題を解決するための手段】
【０００５】自走型車椅子の車体側面（３）に設けられた既存の固定車軸（４）に、走行車輪（１）とハンドリム（２）を分離して、その間に平歯車を組み合わせた減速機構を構成させて一体化した、スリーブ（７）を取り付ける。
本発明は、以上の構成よりなる減速機構付き走行車輪である。
【発明の効果】
【０００６】ハンドリムに加えられた走行駆動力は、減速機構を介して走行車輪に伝達されるので従来の車椅子に比べて、ハンドリム１回転当たりの走行距離は減速比の分だけ少なくなるが、走行に要する腕力は減速比に比例して軽減される。また、介助者が乗用者を乗せて背後よりハンドルを持って移動走行させる場合は、走行車輪が減速機構を介してハンドリムを回転させるので歯車の噛み合い抵抗の分だけ重くなるが、減速機構に平歯車を採用している本発明において、その抵抗力は軽微なものであるため、乗用者より腕力の勝ると思われる介助者にとつて苦痛にはならない。
【図面の簡単な説明】
【０００７】
【図１】  市販されている代表的な自走型車椅子に、本発明による減速機構付き走行車輪を取り付けた図である。
【図２】  本発明による、減速機構が一体化されたスリーブに、走行車輪とハンドリムを取り付けた走行車輪部の全体図である。
【図３】  本発明による、減速機構の断面詳細図である。
【図４】  本発明による、減速機構の動力伝達系統図である。
【発明を実施するための形態】
【０００８】本発明を実施するための形態について図面を参照して説明する。
車椅子の車体側面（３）に設けられた既存の固定車軸（４）にスリーブ（７）を装着する。そして、その外周にベアリング（８）よって回転自在なハンドリムハブ（９）を挿入してハンドリム（２）の回転を伝達出来るようにする。ハンドリムハブ（９）の端部には初段歯車（１０）を設けておき、その歯車に噛み合うように中間軸（１１）によって回転自在な中間歯車大（１２）を取り付ける。中間歯車大（１２）は中間歯車小（１３）と一体結合されており、中間歯車大（１２）が初段歯車（１０）と噛み合い回転すると、中間歯車小（１３）も同期回転する。  この中間歯車小（１３）はハンドリムハブ（９）の外周に、  ベアリング（１４）によって回転自在になるように挿入された車輪ハブ（１５）の端部に設けられた終段歯車（１６）と噛み合っている。このように、ハンドリム（２）に加えられた回転駆動力はハンドリムホィール（６）から初段歯車（１０）に伝わり、中間歯車大（１２）、中間歯車小（１３）、終段歯車（１６）を介して車輪ホィール（５）に伝達され、走行車輪（１）に回転を与え、車椅子を移動走行させる。
初段歯車（１０）と終段歯車（１６）の間に中間歯車大（１２）および中間歯車小（１３）を設けることにより、分離されたハンドリム（２）と走行車輪（１）の回転方向を同一方向にすると共に、それぞれの歯車の歯数を変えることにより走行車輪（１）の回転数を減ずると同時に、ハンドリム（２）に加える所要の回転力を弱くする効果がある。
本発明は、以上のような構造である。
【産業上の利用可能性】
【０００９】本発明は、従来の自走型車椅子において、既存の車体に何らの改造や変更を加えることなく車輪の交換を行なうだけで済むので、特別な技術を要せず利用者が自分で行なうことが出来る。こうしたことで、利用可能性は大である。
【符号の説明】
【００１０】  １    走行車輪
２    ハンドリム
３    車体側面
４    固定車軸
５    車輪ホィール
６    ハンドリムホィール
７    スリーブ
８    ベアリング
９    ハンドリムハブ
１０    初段歯車
１１    中間軸
１２    中間歯車大
１３    中間歯車小
１４    ベアリング
１５    車輪ハブ
１６    終段歯車
【図１】
2010179066.tif 000003
【図２】
2010179066.tif 000004
【図３】
2010179066.tif 000005
【図４】
2010179066.tif 000006
(57)【要約】【課題】  服や鞄等に取り付けられているポケットは、中に入れた小物が底にたまったり、ペン等は横倒しになる等し、煩雑になり必要なものが取り出しにくい場合がある。また、他の服や鞄等のポケットに移しかえる際には、収納物をひとつひとつ移す必要がある。これらを解決する為、複数の小物収容部を備えた小物整理具を提供する。【解決手段】  収納本体１と収納本体の外側または内側面に設けられた複数の小物収容部２，３，４，５を備えた本発明品に小物類が整理された状態で収納される。また、収納本体ごとポケットに取り出し可能に収容されることを特徴とする。【選択図】図１
2010179067.tif 000002
【特許請求の範囲】
【請求項１】
収納本体と、前記収納本体の外側または内側面に複数の小物収容部を備えた、ポケットに取り出し可能に収容されることを特徴とする小物整理具。
【発明の詳細な説明】
【技術分野】
【０００１】  この発明は、任意のポケットに収納される小物類を整理するポケットの中の整理具に関する。
【背景技術】
【０００２】  従来、服や鞄等に取り付けられているポケットは、小物を収納することができるが、中に仕切りが無いことが多く、仕切りがあるポケットもあるが位置や形状が固定されている。
【発明の開示】
【発明が解決しようとする課題】
【０００３】  これは次のような欠点があった。
（イ）ポケット内に入れた小物が底にたまり取り出しにくい。
（ロ）１つのポケットに複数の小物を収納すると、中が煩雑になり必要なものが取り出しにくい。
（ハ）他の服や鞄等のポケットに移しかえる際には、収納物をひとつひとつ移す必要がある。
（ニ）広く深いポケットの場合、ペン等の細長いものが横向きに倒れ底にたまり取り出しにくい。
本発明は、以上のような欠点をなくす為になされたものである。
【課題を解決するための手段】
【０００４】  以上の課題を解決するために、請求項１の発明は、収納本体と収納本体の外側または内側面に設けられた複数の小物収容部を備え、ポケットに取り出し可能に収容されることを特徴とする小物整理具である。
【発明の効果】
【０００５】  請求項１の発明により、収納本体に複数の小物収容部を設けたため、小物が整理された状態で収容され、かつ複数の小物を一度に出し入れすることができる。
【発明を実施するための最良の形態】
【０００６】  この発明の一実施形態を、図１に示す。
ポケットの中の整理具の収納本体１はナイロン・ビニール・布素材などであり、この収納本体１の外側または内側面には、カード収納部２、ペンさし収納部３、消しゴムやクリップなどの小物収納部４および小物収納部５が設けられている。
この実施形態によれば、ペン、消しゴム、カードなどが定まった箇所に固定されている為、探しやすい。カード収納部２にはカード状のものが収納され、ペンさし収納部３にペンなどの細長い形状の物が収納される為横倒れが無く、消しゴム等の細かな物が収納本体上部に取り付けられた小物収納部４に入る為、取り出しやすい。収納本体１内には、携帯電話や携帯音楽プレイヤーなどを収納できる。他の服や鞄のポケットに小物を移しかえる際、収納本体１を移しかえるだけですべての小物を一括で移動できる。
【図面の簡単な説明】
【０００７】
【図１】この発明の一実施形態を示す斜視図表側である。
【図２】この発明の一実施形態を示す斜視図裏側である。
【図３】この発明の使用状態。
【符号の説明】
【０００８】１  収納本体    ２  カード収納部    ３  ペンさし収納部
４  小物収納部  ５  小物収納部
【図１】
2010179067.tif 000003
【図２】
2010179067.tif 000004
【図３】
2010179067.tif 000005